(57)【要約】      （修正有）【課題】使い勝手を向上することが出来る洗濯機のある家具に関するもので、洗濯機を収納する住宅用のランドリー家具を提供する。【解決手段】洗濯機１を収容するランドリー家具であって、全体の箱型形状の寸法として、横７００〜１４００ｍｍ、高さ１４２５〜１９５０ｍｍ、奥行き４００〜５００ｍｍで、下部に洗濯機用スペースを設けて、洗濯機用スペース上に軽量高比表面積の無機質消臭材・吸水材を張って、両開き戸２つき収納庫を設置した、木製、又はスチール製箱形家具である。【選択図】図１Ａ
0003186334.tif 000002
【実用新案登録請求の範囲】
【請求項１】
洗濯機を収容するランドリー家具であって、全体の箱型形状の寸法として、横７００〜１４００ｍｍ、高さ１４２５〜１９５０ｍｍ、奥行き４００〜５００ｍｍで、下部に洗濯機用スペースを設けて、前記洗濯機用スペース上に無機質消臭材・吸水材と両開き戸つき収納庫を設置して、洗濯機用スペースの横側に引出と両開き戸付き収納庫を有した木製、又はスチール製箱形家具様体であることを特徴とするランドリー家具。
【請求項２】
洗濯機を収容するランドリー家具であって、全体の箱形形状に対して、下部に洗濯機用スペースとして、横７００〜８５０ｍｍ、高さ１４００〜１５００ｍｍ、奥行き４００〜５００ｍｍを取り、洗濯機用スペース上に、高さ４５０〜５１５ｍｍの両開き戸つき収納庫を、洗濯機用スペース横側に、横４００〜６５０ｍｍ、高さ１４２５〜１９５０ｍｍ、奥行き４００〜５００ｍｍの引出と両開き戸付き収納庫とを３〜４段にした家具様体であることを特徴とする請求項１記載のランドリー家具。
【請求項３】
前記洗濯機を収容するランドリー家具の壁材表面に、防水性の高い壁装材、又は防水塗装を施した材料を使用しているとともに、洗濯機用スペース上の両開き戸つき収納庫の下側面に横７００〜８５０ｍｍ、縦４００〜５００ｍｍの長方形の表面に軽量高比表面積の無機質消臭材・吸水材を張っていることを特徴とする請求項１、又は請求項２に記載のランドリー家具。
【請求項４】
ランドリー家具の壁材表面に使用する防水性の高い壁装材、又は防水塗装を施した材料は、木材、又はスチール上にメラミン加工材、またはＥＢ（電子線）コーテイングシート材であることを特徴とする請求項１〜請求項３のいずれかに記載のランドリー家具。
【請求項５】
ランドリー家具の箱体中に一般市販のドラム型洗濯機を収納して、ドラム型洗濯機の下部に排水パンを敷いて、前記パン内に洗濯機の操作用排水口と給水口を設置することによって、箱形家具様体のる室内美観上の欠点を防ぐと共に、居住スペースの削減を防止するような洗濯機収納の構造にしていることを特徴とする請求項１〜請求項４のいずれかに記載のランドリー家具。
【考案の詳細な説明】
【技術分野】
【０００１】本考案は、比較的狭い空間として制限されているにも関わらず、洗濯機と衣類収納庫を配置することが出来、且つ使い勝手を向上することが出来る洗濯機のある家具に関するもので、洗濯機を収納する住宅用のランドリー家具に関する。
【背景技術】
【０００２】一般に、住宅の洗面所等に設置されるランドリーキャビネットは、左右のキャビネット側板、これらキャビネット側板間に差し渡された複数の棚板や背板から構成され、棚板で区画された収納室に洗濯機を収容するようになっている。住宅の１階に洗濯機が設置されている場合、２階で生じた洗濯物は洗濯機の近くにあるランドリーバスケット等に投入するようにしている。例えば上階と下階との間に設けられた階段の踊り場を、ユーティリティを形成しうる程度の大きさに形成し、該踊り場に洗濯機を設置する技術がある（特許文献１参照）。【０００３】住宅では、乾燥機を含む洗濯機と流しを配置した洗濯室（ユーティリティ）を設けると家事を円滑に行うことが出来るため有利である。このような洗濯室では、洗濯及び調理や食事の後片付け等の家事を同時に進行させるためにキッチンと廊下、或いはキッチン又は廊下と浴室に自由に行き来出来るように構成される。洗濯機が家具に連携していると便利である。【０００４】住宅の中で、洗濯機が家具の一部として、ランドリー周りの家具に存在している多種類の居室機能の組み合わせを可能とすることにより、一空間に多くの居室機能を集約する居住空間に対して特に好適なシステム家具を提供していることが提案されている（特許文献２参照）。【０００５】さらに住宅の上階と下階とで居住の間で、洗濯物を上階から下階に落下させるための落下筒部と、前記建物の上階に設けられて、前記落下筒部の上端部に洗濯物を投入するための投入部と、前記建物の下階に設けられて、前記落下筒部内を落下して、該落下筒部の下端部から落下してきた洗濯物を受けて取出すことができる受け部とを備えたランドリーシュータが提案されている（特許文献３参照）。【０００６】部屋の内部に於ける直交する２つの壁面のうち、一方の壁面に洗濯機を配置すると共に他方の壁面に流しを配置し、且つ前記洗濯機と流しの間に壁面に沿ってカウンターを配置している洗濯機のある部屋が提供されている（特許文献４参照）。【０００７】キッチン用具を装備したキッチンユニットと、給湯器を備えた給湯ユニットと、洗濯機を備え付ける防水パンユニットと、収納ユニットとを少なくとも含み、これらユニットは取り付けスペースに合わせて予め別個に形成されると共に、適宜配列し組み合わせることにより一体化した、キッチン及び水回り設備のユニットシステムが提案されている（特許文献５参照）。【０００８】しかし木製の家具において、最近の洗濯機を入れたものは存在していない。とくに防湿的、スペース的に問題を抱えている。この点を改良したものを提供することが望まれている。
【先行技術文献】
【特許文献】
【０００９】
【特許文献１】特開平１０−３１７６２７号公報
【特許文献２】特開平１１−２２５８３７号公報
【特許文献３】特開２０００−２４８７３２号公報
【特許文献４】特開２００３−１８０４５７号公報
【特許文献５】特開平７−２３１８１５号公報
【考案の概要】
【考案が解決しようとする課題】
【００１０】従来のランドリーキャビネットは、洗面所に単に設置するだけであるため、設置状態が不安定で地震等の振動によって転倒するといった危険性があった。また、各種の転倒防止用金具が市販されているが、このような金具を取り付けると、コストがかかるばかりか、見栄えも悪くなることがあった。さらに、単独で強度を得なければならないので、構造をある程度重厚にしておく必要があり、このためコスト高とならざるを得なかった。【００１１】そこで、この考案は、構造が簡単でコストダウンを図ることができ、強固かつ容易に設置することができるランドリー家具を提供することを目的とするものである。この技術によれば、洗濯物が多い場合は、脱衣場と洗濯場所別々であると往復する必要が生じてしまい、手間がかかるという課題があった。また、室内に洗濯機を設置すると、逆に、家庭内で生じた洗濯物を運ぶ手間がかかるという課題も生じる。【００１２】本考案は上記事情に鑑みてなされたもので、脱衣場と洗濯場所で生じた洗濯物を、洗濯機等が設置され、洗濯物と衣類を収納できる収納器を持つ家具に容易に投入することで、上記課題を解決することができるランドリー家具を提供することを目的としている。【００１３】例えは狭い部屋の２畳程度の面積であっても、小規模住宅や中規模住宅で捻出することは困難である。そして住宅の限られた床面積の中から無理して狭い洗濯室を構成した場合、必要な要素である窓や出入口を形成し得なかったり、収納機能を欠くようなことになり、採光面や換気面で問題が生じる。【００１４】更に、窓を形成したとしても、通風，換気機能を満足し得るような大きさではなく、小さい窓にならざるを得ない。このため、洗濯室に隣設する浴室やキッチンに形成されている窓とのバランスが悪くなって、外観デザインを阻害するという問題が派生する。【００１５】また家族が多かったり、育ち盛りの子供がいるような場合、洗濯物の量が多く、且つ汚れの量や繊維の質が多様になる。このため、洗濯物を分類したり、一度予備洗いすることが必要になることがあるが、これらの作業を円滑に進めるために必要な洗濯物を一時的に置くことが出来る場所がないため、どうしても使い勝手が悪いまま作業を行わざるを得ないという問題がある。【００１６】本考案の目的は、木製の家具において、最近の洗濯機を入れたものは存在していない。とくに防湿的、スペース的に問題を抱えている。この点を改良したものを提供することが望まれている。可及的に狭い面積で、機能的に構成された洗濯機のある家具を提供することにある。
【課題を解決するための手段】
【００１７】洗濯機を収容するランドリー家具であって、全体の箱型形状の寸法として、横７００〜１４００ｍｍ、高さ１４２５〜１９５０ｍｍ、奥行き４００〜５００ｍｍで、下部に洗濯機用スペースを設けて、前記洗濯機用スペース上に両開き戸つき収納庫を、洗濯機用スペースの横側に引出と両開き戸付き収納庫を有した木製、又はスチール製箱形家具である。【００１８】洗濯機を収容するランドリー家具であって、全体の箱形形状に対して、下部に洗濯機用スペースを横７００〜８５０ｍｍ、高さ１４００〜１４５０ｍｍ、奥行き４００〜５００ｍｍ、を取り、洗濯機用スペース上に、高さ４５０〜５１５ｍｍの両開き戸つき収納庫を、洗濯機用スペース横側に、横４００〜６５０ｍｍ、高さ１４２５〜１９５０ｍｍ、奥行き４００〜５００ｍｍで、引出と両開き戸付き収納庫を３〜４段にした家具である。【００１９】前記洗濯機を収容するランドリー家具の壁材表面に、防水性の高い壁装材、又は防水塗装を施しているとともに、洗濯機用スペース上に、高さ４５０〜５１５ｍｍの両開き戸つき収納庫の下側面に横７００〜８５０ｍｍ、縦４００〜５００ｍｍの長方形の表面に軽量高比表面積の無機質消臭材・吸水材を張っているランドリー家具である。【００２０】ランドリー家具の壁材表面に使用する防水性の高い壁装材、又は防水塗装を施した材料は、木材、又はスチール上にメラミン加工材、またはＥＢ（電子線）コーテイングシート材である。洗濯機としてはドラム式であって、８００型、７００型、あるいは円筒上開型などの、一般に洗濯機を製造している企業のものが使用できる。【００２１】ランドリー家具の箱体中に一般市販の洗濯機を収納して、下部に排水パンを含む洗濯機の操作用排水口と給水口の設置による室内美観上の欠点を防ぐと共に、居住スペースの削減を防止する洗濯機収納の構造になっている。【００２２】前記ユーティリティ７とは、住宅等で、家事作業をまとめてできるよう、諸設備を設けた部屋のことであり、該ユーティリティ７には、洗濯機、乾燥機、アイロン、アイロン台、収納所が設けられる。
【考案の効果】
【００２３】小規模住宅や中規模住宅で、住宅の限られた床面積の中から無理して狭い洗濯室を構成した場合、必要な要素である窓や出入口を形成し得なかったり、収納機能がよくなって、汚れの衣服、あるいは清潔な衣服を分別収納できて、ランドリー部屋が採光面や換気面で効率的な配置になってくる。【００２４】洗濯機を置いているランドリー部屋が清潔なり、乱雑性が少なくなってくる。また部屋自身も家具の設置の位置によって遮光性も少なくなって、窓を形成して、通風，換気機能を満足し得るような大きさではなく、洗濯室に隣設する衣服収納庫、汚れもの収納庫に形成されて、外観デザインもよくなった。【００２５】家族が多かったり育ち盛りの子供がいるような場合、洗濯物の量が多く、且つ汚れの量や繊維の室が多様になるため、洗濯物を分類したり、一度予備洗いすることが必要になることがあるが、これらの作業を円滑に進めるために必要な洗濯物を一時的に置くことができて、使い勝手が良い。【００２６】可及的に狭い面積で、機能的に構成された洗濯機のあるラウンドリー家具が提供できた。収納場所，洗濯機が配置されるため、身体を捻って向きを変えるだけで、或いは一歩〜二歩移動することによって、夫々の正面に向くことが可能となり、作業性を向上することが出来た。【００２７】またユーティリティとしての狭い領域の面積を有するものであっても、全ての機能を満足したユーティリティを構成することが出来、且つ作業性，採光性，換気性更に収納性能を高い質に保持することが出来た。
【図面の簡単な説明】
【００２８】
【図１】ランドリー家具単品の斜視図  Ａ：ランドリー部  Ｂ：収納棚部
【図２】ランドリー家具単独の正面図
【図３】ランドリー家具の側面図
【図４】ランドリー家具ＡＢ連結−１タイプの斜視図
【図５】ランドリー家具ＡＢ連結−２タイプの斜視図
【図６】ランドリー家具ＡＢ連結−３タイプの斜視図
【考案を実施するための形態】
【００２９】洗濯機を持つ家具であるランドリー家具について、詳細に説明する。とくにランドリー家具として２種類の家具について解説する。
【実施例１】
【００３０】洗濯機を収容するランドリー家具であって、全体の箱型形状の寸法として、図１Ａで示すように横７００ｍｍ、高さ１９５０ｍｍ、奥行き４５０ｍｍで、下部に洗濯機用スペースを設けて、前記洗濯機用スペース上に両開き戸つき収納庫を、洗濯機用スペースの横側に引出と両開き戸付き収納庫を有した木製箱形家具様体である。【００３１】また図２の正面図、及び図３の側面図に示すように、洗濯機を収容するランドリー家具であって、全体の箱形形状に対して、下部に洗濯機用スペースとして、横７００ｍｍ、高さ１５００ｍｍ、奥行き４５０ｍｍを取り、洗濯機用スペース上に、高さ５００ｍｍの両開き戸つき収納庫を、図１Ｂに示すような洗濯機用スペース横（収納棚部）側に、横６００ｍｍ、高さ１９５０ｍｍ、奥行き４５０ｍｍの引出と両開き戸付き収納庫とを３段にした家具様体である。全体のランドリー家具製品としては図４に示すものであった。【００３２】前記洗濯機を収容するランドリー家具の壁材表面に、防水性の高い壁装材、又は防水塗装を施した材料を使用しているとともに、洗濯機用スペース上の両開き戸つき収納庫の下側面に横７００ｍｍ、縦４００ｍｍの長方形の表面に軽量高比表面積の無機質消臭材・吸水材（図１Ａの６で示す商標登録モイス材）を張っている。【００３３】ランドリー家具の壁材表面に使用する防水性の高い壁装材、又は防水塗装を施した材料は、木材表面にＥＢ（電子線）コーテイングシート材である。ランドリー家具の箱体中に一般市販のドラム型洗濯機８００型を収納して、ドラム型洗濯機の下部に排水パンを敷いて、前記パン内に洗濯機の操作用排水口と給水口を設置することによって、箱形家具様体のる室内美観上の欠点を防ぐと共に、居住スペースの削減を防止するような洗濯機収納の構造にしている。住宅内の洗面室、ランドリー室は、整理整頓を常時保つことができて、さらに部屋の清潔さを保つことができた。また部屋のデザイン性も向上して、部屋自身もモダン的になった。
【実施例２】
【００３４】洗濯機を収容するランドリー家具であって、全体の箱型形状の寸法として、横７００ｍｍ、高さ１９５０ｍｍ、奥行き４５０ｍｍで、下部に洗濯機用スペースを設けて、前記洗濯機用スペース上に両開き戸つき収納庫を、洗濯機用スペースの横側に引出と両開き戸付き収納庫を有した木製箱形家具様体である。【００３５】洗濯機を収容するランドリー家具であって、全体の箱形形状に対して、下部に洗濯機用スペースとして、横７００ｍｍ、高さ１５００ｍｍ、奥行き４５０ｍｍを取り、洗濯機用スペース上に、高さ５００ｍｍの両開き戸つき収納庫を、洗濯機用スペース横側に、横６００ｍｍ、高さ１９５０ｍｍ、奥行き４５０ｍｍの引出と両開き戸付き収納庫とを３段にした家具様体である。全体としては図５に示すようなものであった。【００３６】前記洗濯機を収容するランドリー家具の壁材表面に、防水性の高い壁装材、又は防水塗装を施した材料を使用しているとともに、洗濯機用スペース上の両開き戸つき収納庫の下側面に横７００ｍｍ、縦４００ｍｍの長方形の表面に軽量高比表面積の無機質消臭材・吸水材を張っている。【００３７】ランドリー家具の壁材表面に使用する防水性の高い壁装材、又は防水塗装を施した材料は、スチール上にＥＢ（電子線）コーテイングシート材である。ランドリー家具の箱体中に一般市販のドラム型洗濯機を収納して、ドラム型洗濯機の下部に排水パンを敷いて、前記パン内に洗濯機の操作用排水口と給水口を設置することによって、箱形家具様体のる室内美観上の欠点を防ぐと共に、居住スペースの削減を防止するような洗濯機収納の構造にしている。また住宅内の洗面室、ランドリー室は、整理整頓を常時保つことができて、さらに部屋の清潔さを保つことができた。また部屋のデザイン性も向上して、部屋自身もモダン的になった。
【実施例３】
【００３８】洗濯機を収容するランドリー家具であって、全体の箱型形状の寸法として、横７００ｍｍ、高さ１９５０ｍｍ、奥行き４５０ｍｍで、下部に洗濯機用スペースを設けて、前記洗濯機用スペース上に両開き戸つき収納庫を、洗濯機用スペースの横側に引出と両開き戸付き収納庫を有した木製箱形家具様体である。【００３９】洗濯機を収容するランドリー家具であって、全体の箱形形状に対して、下部に洗濯機用スペースとして、横７００ｍｍ、高さ１５００ｍｍ、奥行き４５０ｍｍを取り、洗濯機用スペース上に、高さ４５０ｍｍの両開き戸つき収納庫を、洗濯機用スペース横側に、横６００ｍｍ、高さ１９５０ｍｍ、奥行き４５０ｍｍの引出と両開き戸付き収納庫とを４段にした家具様体である。【００４０】前記洗濯機を収容するランドリー家具の壁材表面に、防水性の高い壁装材、又は防水塗装を施した材料を使用しているとともに、洗濯機用スペース上の両開き戸つき収納庫の下側面に横７００ｍｍ、縦４００ｍｍの長方形の表面に軽量高比表面積の無機質消臭材・吸水材を張っている。【００４１】ランドリー家具の壁材表面に使用する防水性の高い壁装材、又は防水塗装を施した材料は、木材、又はスチール上にＥＢ（電子線）コーテイングシート材である。ランドリー家具の箱体中に一般市販の上面開口型洗濯機を収納して、ドラム型洗濯機の下部に排水パンを敷いて、前記パン内に洗濯機の操作用排水口と給水口を設置することによって、箱形家具様体のる室内美観上の欠点を防ぐと共に、居住スペースの削減を防止するような洗濯機収納の構造にしている。住宅内の洗面室、ランドリー室は、整理整頓を常時保つことができて、さらに部屋の清潔さを保つことができた。また部屋のデザイン性も向上して、部屋自身もモダン的になった。
【実施例４】
【００４２】洗濯機を収容するランドリー家具であって、全体の箱型形状の寸法として、横７００ｍｍ、高さ１５００ｍｍ、奥行き４５０ｍｍで、下部に洗濯機用スペースを設けて、前記洗濯機用スペース上に両開き戸つき収納庫を、洗濯機用スペースの横側に引出と両開き戸付き収納庫を有した木製箱形家具様体であるランドリー家具である。【００４３】洗濯機を収容するランドリー家具であって、全体の箱形形状に対して、下部に洗濯機用スペースとして、横７００ｍｍ、高さ１５００ｍｍ、奥行き４５０ｍｍを取り、洗濯機用スペース上に、高さ４５０ｍｍの両開き戸つき収納庫を、洗濯機用スペース横側に、横６００ｍｍ、高さ１９５０ｍｍ、奥行き４５０ｍｍの引出と両開き戸付き収納庫とを３段にした家具様体である。【００４４】前記洗濯機を収容するランドリー家具の壁材表面に、防水性の高い壁装材、又は防水塗装を施した材料を使用しているとともに、洗濯機用スペース上の両開き戸つき収納庫の下側面に横７００ｍｍ、縦４００ｍｍの長方形の表面に軽量高比表面積の無機質消臭材・吸水材を張っている。ランドリー家具の壁材表面に使用する防水性の高い壁装材、又は防水塗装を施した材料は、木材コーテイングシート材である。【００４５】ランドリー家具の箱体中に一般市販のドラム型洗濯機を収納して、ドラム型洗濯機の下部に排水パンを敷いて、前記パン内に洗濯機の操作用排水口と給水口を設置することによって、箱形家具様体のる室内美観上の欠点を防ぐと共に、居住スペースの削減を防止するような洗濯機収納の構造にしている。住宅内の洗面室、ランドリー室は、整理整頓を常時保つことができて、さらに部屋の清潔さを保つことができた。また部屋のデザイン性も向上して、部屋自身もモダン的になった。
【符号の説明】
【００４６】１．洗濯機２．両開き戸３．片開き戸４．洗濯機敷きパン５．給水口６．乾燥盤７．バスケット８．ランドリー収納庫９．側板１０  天板１１  引出
【図１Ａ】
0003186334.tif 000003
【図１Ｂ】
0003186334.tif 000004
【図２】
0003186334.tif 000005
【図３】
0003186334.tif 000006
【図４】
0003186334.tif 000007
【図５】
0003186334.tif 000008
【図６】
0003186334.tif 000009